(57)【要約】【課題】適応変調による通信を行う通信装置において、通信品質値の変化の状況も考慮した、通信品質値に適した変調方式による通信を実行する。【解決手段】基地局装置１０１は、通信相手との間で実行される通信の品質を示す通信品質値を取得して記憶する通信品質値記憶部１０５と、所定期間前から現在までの間に含まれる期間における通信品質値に基づいて参照期間を決定する参照期間決定部１０６と、参照期間前から現在までの期間における通信品質値に基づいて、通信で適用される変調方式を決定する変調方式決定部１０７と、を含む。【選択図】図１
2010130261.tif 000002
【特許請求の範囲】
【請求項１】
通信相手との間で実行される通信の品質を示す通信品質値を取得する通信品質値取得手段と、
所定期間前から現在までの間に含まれる期間における前記通信品質値に基づいて参照期間を決定する参照期間決定手段と、
前記参照期間前から現在までの期間における前記通信品質値に基づいて、前記通信で適用される変調方式を決定する変調方式決定手段と、
を含むことを特徴とする通信装置。
【請求項２】
請求項１に記載の通信装置であって、
前記参照期間決定手段は、
前記所定期間前から現在までの間に含まれる期間における前記通信品質値の変化量が所定量未満である場合、
前記参照期間を第１の期間に決定し、
前記所定期間前から現在までの間に含まれる期間における前記通信品質値の変化量が前記所定量以上である場合、
前記参照期間を前記第１の期間より短い第２の期間に決定する、
ことを特徴とする通信装置。
【請求項３】
請求項２に記載の通信装置であって、
前記第１の期間は、前記所定期間と等しい、
ことを特徴とする通信装置。
【請求項４】
請求項３に記載の通信装置であって、
前記第２の期間は、前記所定期間に含まれる、前記通信品質値の変化が前記所定量以上となった時点以降の期間である、
ことを特徴とする通信装置。
【請求項５】
請求項１から４のいずれかに記載の通信装置において、
前記変調方式決定手段は、
前記参照期間前から現在における前記通信品質値の平均値に基づいて前記変調方式を決定する、
ことを特徴とする通信装置。
【請求項６】
請求項１から５のいずれかに記載の通信装置において、
前記通信品質値は、当該通信装置から送信され前記通信相手により受信される信号に基づいて得られる値であり、
前記変調方式は、当該通信装置から前記通信相手へ送信される信号の変調方式である、
ことを特徴とする通信装置。
【請求項７】
請求項１から５のいずれかに記載の通信装置において、
前記通信品質値は、前記通信相手から送信され当該通信装置により受信される信号に基づいて得られる値であり、
前記変調方式は、前記通信相手から当該通信装置へ送信される信号の変調方式である、
ことを特徴とする通信装置。
【請求項８】
通信相手との間で実行される通信の品質を示す通信品質値を取得するステップと、
所定期間前から現在までの間に含まれる期間における前記通信品質値に基づいて参照期間を決定するステップと、
前記参照期間前から現在までの期間における前記通信品質値に基づいて、前記通信で適用される変調方式を決定するステップと、
を含むことを特徴とする変調方式決定方法。
【発明の詳細な説明】
【技術分野】
【０００１】
本発明は、通信装置および変調方式決定方法に関し、特に、適応変調による通信を行う通信装置および変調方式決定方法に関する。
【背景技術】
【０００２】
適応変調による通信を行う通信装置は、通信の際のデータの変調方式を、通信品質に応じて決定している。適応変調方式は、例えば特許文献１に記載されている。
【０００３】
このような通信装置は、変調方式を、通信品質を示す通信品質値の、直近の所定期間における値の平均に基づいて決定している。
【０００４】
例えば、通信装置は、過去の所定期間に取得されたＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ）値の平均値に基づいて、変調方式を決定する。図３は、ＳＩＮＲ値と、当該ＳＮＲ値で決定される変調方式や送信データレートが規定されている各変調クラス（ＣＭＣ：Ｃｕｒｒｅｎｔ  Ｍｏｄｕｌａｔｉｏｎ  Ｃｌａｓｓ）の関係を示す図である。図３において、各変調クラスに対して規定されるＳＩＮＲ値は、各変調クラスで行われる通信における所要品質を示すＳＩＮＲ値であり、この値以上のＳＩＮＲ値が得られる場合には当該変調方式が選択される。
【特許文献１】特開２００６−１４２０５号公報
【発明の開示】
【発明が解決しようとする課題】
【０００５】
しかしながら、移動体通信においては、障害物や通信相手となる通信装置の移動などによる、通信環境の急激な変化に伴い、通信品質も急激に変化している。そのため、前述した通信品質値の平均値に基づいて変調方式を決定する通信装置は、通信品質が急激に変化する場合、変調方式を通信環境に適したものに決定できないことがある。
【０００６】
例えば、通信品質が一時的に非常に低い状態となり、その後通信品質が非常に高い状態に急激に復旧する場合、実際には高い通信品質に適した、例えば変調多値数の高い変調方式による通信が可能であるにも関わらず、通信品質値の平均値は、過去の低い通信品質値の影響で低くなるため、決定される変調方式も、変調多値数の低い変調方式になってしまう。
【０００７】
また、通信品質が一時的に非常に高い状態となり、その後通信品質が非常に低い状態に急激に復旧する場合、実際には低い通信品質に適した、変調多値数の低い変調方式による通信でなければ実行できないにも関わらず、通信品質値の平均値は、過去の高い通信品質値の影響で高くなるため、決定される変調方式は変調多値数の高い変調方式になり、通信エラーが頻発してしまう。
【０００８】
本発明は上記の課題に鑑みてなされたものであり、適応変調による通信を行う通信装置において、通信品質値の変化の状況も考慮した、通信品質値に適した変調方式による通信を実行することを目的とする。
【課題を解決するための手段】
【０００９】
上記の課題を解決するために、本発明に係る通信装置は、通信相手との間で実行される通信の品質を示す通信品質値を取得する通信品質値取得手段と、所定期間前から現在までの間に含まれる期間における前記通信品質値に基づいて参照期間を決定する参照期間決定手段と、前記参照期間前から現在までの期間における前記通信品質値に基づいて、前記通信で適用される変調方式を決定する変調方式決定手段と、を含む。
【００１０】
本発明によれば、本発明に係る通信装置は、通信品質値の変化の状況も考慮した、通信品質値に適した変調方式による通信を実行することができる。
【００１１】
また、本発明に係る通信装置において、前記参照期間決定手段は、前記所定期間前から現在までの間に含まれる期間における前記通信品質値の変化量が所定量未満である場合、前記参照期間を第１の期間に決定し、前記所定期間から現在までの間に含まれる期間における前記通信品質値の変化量が前記所定量以上である場合、前記参照期間を前記第１の期間より短い第２の期間に決定する。
【００１２】
また、本発明に係る通信装置において、前記第１の期間は、前記所定期間と等しい。
【００１３】
さらに、本発明に係る通信装置において、前記第２の期間は、前記所定期間に含まれる、前記通信品質値の変化が前記所定量以上となった時点以降の期間である。
【００１４】
本発明によれば、本発明に係る通信装置は、通信品質値が急激に変化する場合にも、通信品質値に対し適切な変調方式による通信を実行することができる。
【００１５】
また、本発明に係る通信装置において、前記変調方式決定手段は、前記参照期間前から現在における前記通信品質値の平均値に基づいて前記変調方式を決定する。
【００１６】
また、本発明に係る通信装置において、前記通信品質値は、当該通信装置から送信され前記通信相手により受信される信号に基づいて得られる値であり、前記変調方式は、当該通信装置から前記通信相手へ送信される信号の変調方式である。
【００１７】
また、本発明に係る通信装置において、前記通信品質値は、前記通信相手から送信され当該通信装置により受信される信号に基づいて得られる値であり、前記変調方式は、前記通信相手から当該通信装置へ送信される信号の変調方式である。
【００１８】
また、本発明に係る変調方式決定方法は、通信相手との間で実行される通信の品質を示す通信品質値を取得するステップと、所定期間前から現在までの間に含まれる期間における前記通信品質値に基づいて参照期間を決定するステップと、前記参照期間前から現在までの期間における前記通信品質値に基づいて、前記通信で適用される変調方式を決定するステップと、を含む。
【発明を実施するための最良の形態】
【００１９】
本実施の形態では、直近の所定期間における通信品質値の変化の状況を参照し、変化の状況に基づいて決定される期間におけるＳＩＮＲ値の平均に基づいて、変調方式が決定される基地局装置の構成を示す。
【００２０】
図１は、本発明に係る基地局装置１０１の構成を示す図である。基地局装置１０１は、移動局装置と通信を行う。
【００２１】
図７は、本実施の形態に係る基地局装置１０１および通信相手である移動局装置により行われる通信を示す図である。移動局装置と基地局装置１０１は、各フレームにおいて交互に、上り信号７０１，７０３，７０５，７０７および下り信号７０２，７０４，７０６，７０８を送信している。
【００２２】
移動局装置は、フレームｉｎ（ｉｎ＝奇数）において、前々フレームで基地局装置１０１から受信された下り信号の通信品質を表すＳＩＮＲエラーレポートを、上り信号７０１で基地局装置１０１に通知する。
【００２３】
基地局装置１０１は、通知されたＳＩＮＲエラーレポートを基に下り信号の変調方式を決定し、フレームｉｎ＋１（ｉｎ＋１＝偶数）において、下り信号７０４で移動局装置に通知する。なお、下り信号７０４は、下り信号７０２と同じ変調方式により変調されて送信される。
【００２４】
基地局装置１０１は、下り信号７０６の変調処理から、上記で決定された変調方式による変調を実施する。
【００２５】
さらに、移動局装置は、下り信号７０２の通信品質を算出し、得られるＳＩＮＲエラーレポートをフレームｉｎ＋２（ｉｎ＋２＝奇数）において、上り信号７０５で基地局装置１０１に通知する。
【００２６】
基地局装置１０１は、通知されたＳＩＮＲエラーレポートを基に下り信号の変調方式を決定し、フレームｉｎ＋３（ｉｎ＋３＝偶数）において、下り信号７０８で移動局装置に通知する。なお、下り信号７０８は、下り信号７０６と同じ変調方式により変調されて送信される。
【００２７】
以上の処理を繰り返して、基地局装置１０１は、移動局装置から通知されるＳＩＮＲエラーレポートに基づいて、下り信号の変調方式を決定している。
【００２８】
次に、基地局装置１０１の構成を以下に説明する。基地局装置１０１は、無線通信部１０２、復調部１０３、復号部１０４、通信品質値記憶部１０５、参照期間決定部１０６、変調方式決定部１０７、符号化部１０８、変調部１０９、メモリー１１０、アンテナ１１１を含む。このうち、復調部１０３、復号部１０４、通信品質値記憶部１０５、参照期間決定部１０６、変調方式決定部１０７、符号化部１０８、変調部１０９は、たとえばＣＰＵまたはＤＳＰで構成される。
【００２９】
アンテナ１１１は、基地局装置１０１の通信相手である移動局装置から送信される信号を受信して、無線通信部１０２へ出力する。また、アンテナ１１１は、無線通信部１０２から入力される信号を電波として送信する。
【００３０】
無線通信部１０２は、ローノイズアンプ、パワーアンプ、局部発振器、ミキサ、フィルタなどを含む。無線通信部１０２は、アンテナ１１１から入力される信号に対しダウンコンバート、増幅などの処理を行って、得られる信号を復調部１０３に出力する。また、無線通信部１０２は、変調部１０９から入力される信号に対しアップコンバートなどの処理を行って、得られる信号をアンテナ１１１に出力する。
【００３１】
復調部１０３は、Ａ／Ｄ変換器、直並列変換器、ＦＦＴ演算器、並直列変換器などを含む。復調部１０３は、無線通信部１０２から入力される信号に対し、Ａ／Ｄ変換、直並列変換、離散フーリエ変換、並直列変換などの処置を行って、得られる信号を復号部１０４へ出力する。
【００３２】
復号部１０４は、復調部１０３から入力される信号から受信データを生成し、得られる受信データを通信品質値記憶部１０５および図示しない上位層へ出力する。
【００３３】
通信品質値記憶部１０５は、ＳＩＮＲターゲット値を取得し、直近の５つ（直近の１０フレーム）のＳＩＮＲターゲット値を記憶する。ＳＩＮＲターゲット値とは、通信相手である移動局装置において受信された、基地局装置１０１から送信された信号のＳＩＮＲ値であり、移動局装置から送信され基地局装置１０１により受信される信号（受信データ）から得られる。
【００３４】
図３に示されるように、基地局装置１０１が実行している適応変調による通信では、変調クラスごと、すなわち変調クラスに対応する変調方式ごとに必要とされるＳＩＮＲ値（所要ＳＩＮＲ値）が規定されている。移動局装置は、基地局装置１０１から送信された信号を受信すると、受信された信号に基づいて、該信号のＳＩＮＲ値と該信号が変調された変調方式（変調クラス）における所要ＳＩＮＲ値との差分である、ＳＩＮＲエラーレポートを２フレームに一度算出し、基地局装置１０１に送信する。通信品質値記憶部１０５は、式（１）を用いて、受信されたＳＩＮＲエラーレポートからＳＩＮＲターゲット値を算出する。
【００３５】
ＳＩＮＲターゲット値＝所要ＳＩＮＲ値−ＳＩＮＲエラーレポート  …（１）
【００３６】
通信品質値記憶部１０５は、こうして得られるＳＩＮＲターゲット値の、直近の５つの値、すなわち直近の１０フレームの値を記憶する。通信品質値記憶部１０５の動作の詳細は後述する。
【００３７】
参照期間決定部１０６は、通信品質値記憶部１０５に記憶される通信品質値に基づいて、変調方式の決定する際のパラメータである参照期間を決定する。参照期間決定部１０６の動作の詳細は後述する。
【００３８】
変調方式決定部１０７は、通信品質値記憶部１０５に記憶される通信品質値に基づいて、基地局装置１０１が送信する下り信号の変調で適用される変調方式（変調クラス）を決定する。この変調方式の決定は、参照期間決定部１０６で決定される参照期間を用いて行われる。決定された変調方式は変調部１０９へ通知されるとともに、下り信号を介して移動局装置に通知される。変調方式決定部１０７の動作の詳細は後述する。
【００３９】
符号化部１０８は、基地局装置１０１が送信する送信データに対し符号化処理を行い、得られる信号を変調部１０９に出力する。
【００４０】
変調部１０９は、符号化部１０８から入力されるデータに対し、変調方式決定部１０７から通知される変調方式に基づく変調を行い、得られるデータを無線通信部１０２へ出力する。
【００４１】
メモリー１１０は、半導体メモリーやハードディスクなどからなり、基地局装置１０１で処理されるデータや、使用されるパラメータなどを記憶する。例えば、メモリー１１０は、図３に示される変調クラスとＳＩＮＲ値の関係を記憶している。
【００４２】
ここで、通信品質値記憶部１０５、参照期間決定部１０６、変調方式決定部１０７の動作を詳細に説明する。
【００４３】
通信品質値記憶部１０５は、移動局装置から送信されるデータに含まれるＳＩＮＲエラーレポートからＳＩＮＲターゲット値を算出し、記憶する。通信品質値記憶部１０５は、例えばＦＩＦＯの構造を有する。図２は、通信品質値記憶部１０５の、ＳＩＮＲターゲット値を記憶する構造を示す模式図である。ＳＩＮＲターゲット値が算出されると、変数ＶＡＲ［０］〜ＶＡＲ［４］は右方向（引数が増加する方向）に１段シフトして、算出されたＳＩＮＲターゲット値が新たにＶＡＲ［０］として記憶される。こうして、常に直近の所定期間（本実施の形態では、５つ、すなわち１０フレームに相当）のＳＩＮＲターゲット値がＶＡＲ［０］〜ＶＡＲ［４］として記憶される。
【００４４】
参照期間決定部１０６は、通信品質値記憶部１０５に記憶されるＳＩＮＲターゲット値を参照する。このとき、参照期間決定部１０６は、直近の所定期間に含まれる特定のフレームにおけるＳＩＮＲターゲット値と、同様に直近の所定期間に含まれる、その直後に取得したＳＩＮＲターゲット値との変化量を参照している。そして、この２つのＳＩＮＲターゲット値の変化量が所定量（本実施の形態では１０ｄＢ）以上か判定する。
【００４５】
そして、参照期間決定部１０６は、ＳＩＮＲターゲット値の変化量が１０ｄＢ未満である場合、参照期間を、所定期間（５つのＳＩＮＲターゲット値、すなわち１０フレーム）と等しい期間（第１の期間）に決定する。一方、ＳＩＮＲターゲット値の変化量が１０ｄＢ以上である場合、参照期間決定部１０６は、参照期間を所定量の変化が終わった時点から現在までの期間（第２の期間）に決定する。
【００４６】
変調方式決定部１０７は、通信品質値記憶部１０５に記憶されているＳＩＮＲターゲット値のうち、参照期間決定部１０６で決定された期間の値の平均値を算出し、この平均値に基づいて変調方式を決定する。
【００４７】
図４は、ＳＩＮＲターゲット値の変化の一例を示す図である。図４において、フレーム番号ｉ１，ｉ３，ｉ５，ｉ７，…は、２ずつ加算される奇数とする。ＳＩＮＲエラーレポートは奇数フレームにおいて送信されるため、図４も奇数フレームについてのみ示す。図４に示すＳＩＮＲターゲット値が得られる通信が行われた場合について説明する。
【００４８】
フレームｉ９のデータが受信されると、通信品質値記憶部１０５は、フレームｉ１からフレームｉ９のＳＩＮＲターゲット値をＶＡＲ［４］〜ＶＡＲ［０］として記憶している。
【００４９】
参照期間決定部１０６は、通信品質値記憶部１０５に記憶されているこれらの値を参照し、１０ｄＢ以上の変化が起きているか判定する。この場合、１０ｄＢ以上の変化は起きていないので、参照期間決定部１０６は、参照期間を５つのＳＩＮＲターゲット値に相当する期間、すなわち１０フレームとし、変調方式決定部１０７に通知する。
【００５０】
変調方式決定部１０７は、参照期間決定部１０６から通知された期間、すなわち１０フレーム（５つ）のＳＩＮＲ値ターゲット値の平均値を算出し、この平均値に基づいて変調方式を決定する。平均値は、（６．２＋５．７＋６．０＋６．２＋６．４）／５＝６．１ｄＢであるため、図３に示される関係により変調方式は、変調クラス３に対応する変調方式となる。
【００５１】
次に、フレームｉ１１のデータが受信されると、通信品質値記憶部１０５は、フレームｉ３からフレームｉ１１のＳＩＮＲターゲット値をＶＡＲ［４］〜ＶＡＲ［０］として記憶する。
【００５２】
フレームｉ３からフレームｉ１１においては、ＳＩＮＲターゲット値に１０ｄＢ以上の変化が起きているため、参照期間決定部１０６は、参照期間を、変化が終わった時点からの期間である１つのＳＩＮＲターゲット値に相当する期間、すなわち２フレームと決定し、変調方式決定部１０７に通知する。
【００５３】
変調方式決定部１０７は、参照期間決定部１０６から通知された期間の平均値を算出し、この平均値に基づいて変調方式を決定する。ここでは参照期間が２フレームであるため、変調方式決定部１０７は、ＶＡＲ［０］に記憶されているフレームｉ１１の値２０．２ｄＢに基づいて、変調方式を決定する。決定される変調方式は、図３に示される関係により変調クラス８に対応する変調方式となる。
【００５４】
次に、フレームｉ１３のデータが受信されると、通信品質値記憶部１０５は、フレームｉ５からフレームｉ１３のＳＩＮＲターゲット値をＶＡＲ［４］〜ＶＡＲ［０］として記憶する。
【００５５】
フレームｉ５からフレームｉ１３において、ＳＩＮＲターゲット値に１０ｄＢ以上の変化が起きているため、参照期間決定部１０６は、参照期間を、変化が終わった時点からの期間である２つのＳＩＮＲターゲット値に相当する期間、すなわち４フレームと決定し、変調方式決定部１０７に通知する。
【００５６】
変調方式決定部１０７は、参照期間決定部１０６から通知された期間、すなわち４フレームのＳＩＮＲターゲット値の平均値を算出し、この平均値に基づいて変調方式を決定する。平均値は、（ＶＡＲ［０］＋ＶＡＲ［１］）／２＝（２０．２＋２１．０）／２＝２０．６ｄＢであるため、図３に示される関係により変調方式は変調クラス８に対応する変調方式になる。
【００５７】
以上の処理を繰り返し、１０ｄＢ以上の変化が直近の所定期間（１０フレーム）よりも前になると参照期間決定部１０６は、再び参照期間を１０フレームとする。
【００５８】
図５Ａは、以上で述べた、本実施の形態に係る基地局装置１０１によって行われる変調方式の決定処理を示す図である。図５Ｂは、従来技術に係る基地局装置によって行われる変調方式の決定処理を示す図である。本実施の形態に係る基地局装置１０１の変調方式は、従来技術の場合に比べ、ＳＩＮＲ値の変化への対応が早いことが分かる。
【００５９】
次に、本実施の形態に係る基地局装置１０１で行われる変調方式の決定処理をフローチャートを用いて説明する。図６は、本実施の形態に係る基地局装置１０１で行われる変調方式の決定処理を示すフローチャートである。
【００６０】
基地局装置１０１が移動局装置からフレームｉｎのデータを受信すると（Ｓ６０１）、通信品質値記憶部１０５は、受信されたデータのフレーム番号が奇数か確認する（Ｓ６０２）。奇数であれば（Ｓ６０２でＹｅｓに相当）、通信品質値記憶部１０５は、受信されたデータに含まれるＳＩＮＲレポートからＳＩＮＲターゲット値を算出して、ＶＡＲ［０］〜ＶＡＲ［４］として記憶されているＳＩＮＲターゲット値を更新する（Ｓ６０３）。受信したデータのフレーム番号が奇数でなければ（Ｓ６０２でＮｏに相当）、通信品質値記憶部１０５は、次のデータの受信を待つ。
【００６１】
参照期間決定部１０６は、通信品質値記憶部１０５に記憶されているＳＩＮＲターゲット値が更新されると、これらの値で１０ｄＢ以上の変化が起きているか確認する（Ｓ６０４）。
【００６２】
１０ｄＢ以上の変化が起きていなければ（Ｓ６０４でＮｏに相当）、参照期間決定部１０６は、参照期間を１０フレームと決定する（Ｓ６０６）。一方、１０ｄＢ以上の変化が起きていれば（Ｓ６０４でＹｅｓに相当）、参照期間決定部１０６は、参照期間を１０ｄＢ以上の変化が終わった時点からの期間と決定する（Ｓ６０５）。
【００６３】
変調方式決定部１０７は、参照期間決定部１０６により決定された参照期間における、ＶＡＲ［ｊ］（ｊは参照期間内の値）の平均値、すなわち、ＳＩＮＲターゲット値の平均値を算出して（Ｓ６０７）変調クラスを決定し、変調方式を変調クラスに対応するものに決定する（Ｓ６０８）。
【００６４】
基地局装置１０１は、受信したフレームデータが最後のデータか確認し（Ｓ６０９）、最後であれば処理を終了し、最後でなければ次のデータの受信を待つ。
【００６５】
以上の構成により、基地局装置１０１は、通信品質値の変化の状況も考慮した、通信状況に適した変調方式による通信を実行することができる。
【００６６】
例えば、ＳＩＮＲターゲット値が急激に変化する場合にも、基地局装置１０１は、ＳＩＮＲターゲット値に対し適切な変調多値数の変調方式による通信を実行することができる。
【００６７】
なお、本発明は上記実施の形態に限定されるものではなく、本発明の趣旨を逸脱しない範囲で種々変更可能であることはいうまでもない。
【００６８】
例えば、本実施の形態では、直近の５つのＳＩＮＲターゲット値において、１０ｄＢ以上の変化が起きているか判定する構成を示したが、参照するＳＩＮＲターゲット値の個数および基準とする変化量はこの値に限定されない。
【００６９】
また、本実施の形態では、所定期間と第１の期間とを同一のフレーム数にしていたが、本発明はそれに限定されず、所定期間は第１の期間に設定されている期間（フレーム数）以下であってもよい。この場合は、第１の期間は、予め定められている期間（フレーム数）となり、第２の期間は、ＳＩＮＲターゲット値の変化が所定量以上となった時点以降の期間になる。
【００７０】
さらに、本実施の形態では、連続する２つのＳＩＮＲターゲット値間で急激な変化が起きる場合に参照期間を変更する構成を示したが、本発明はこれに限定されず、３つ以上のＳＩＮＲターゲット値における変化量の合計が所定量を超える場合に参照期間を変更する構成へも変更可能である。
【００７１】
また、本実施の形態では、通信品質値としてＳＩＮＲ値およびＳＩＮＲターゲット値を用いる構成を示したが、本発明はこれに限定されず、例えばＳＮ比やエラーレートなどを用いる構成にも適用可能である。
【００７２】
また、本実施の形態では、通信品質値が急激に向上する場合を示したが、本発明はこれに限定されず、通信品質値が急激に低下する場合にも、同様に参照期間を決定することで、同様の効果を得ることができる。
【００７３】
さらに、本実施の形態では、通信品質値が急激に変化する場合に対する構成を示したが、本発明はこれに限定されず、通信品質値の傾向に応じて参照期間を変化させる、さまざまな構成を含む。
【００７４】
また、本実施の形態では、所定量以上の変化が起きた場合には参照期間を、変化が終わった時点からの期間とする構成を示したが、本発明はこれに限定されず、通常の参照期間よりも短い期間に変更する構成であれば、効果を得ることができる。
【００７５】
また、本実施の形態では、ＳＩＮＲターゲット値は、基地局装置から送信され移動局装置により受信される信号に基づいて得られ、得られるＳＩＮＲターゲット値に基づいて基地局装置から移動局装置へ送信される信号の変調方式を決定する構成を示したが、本発明はこれに限定されない。例えば、ＳＩＮＲターゲット値が移動局装置から送信され基地局装置により受信される信号に基づいて得られ、得られるＳＩＮＲターゲット値に基づいて移動局装置から基地局装置へ送信される信号の変調方式を決定する構成としてもよい。
【００７６】
さらに、本実施の形態では、本発明が移動体通信システムにおける基地局装置に適用される構成を示したが、本発明はこれに限定されず、無線、有線に関わらず、通信状況に基づいて変調方式を決定するあらゆる通信装置に適用可能である。
【図面の簡単な説明】
【００７７】
【図１】本発明に係る基地局装置の構成を示す図である。
【図２】通信品質値記憶部の、ＳＩＮＲターゲット値を記憶する構造を示す模式図である。
【図３】ＳＩＮＲ値と変調クラスの関係を示す図である。
【図４】ＳＩＮＲターゲット値の変化の一例を示す図である。
【図５Ａ】本実施の形態に係る基地局装置によって行われる変調方式の決定処理を示す図である。
【図５Ｂ】従来技術に係る基地局装置によって行われる変調方式の決定処理を示す図である。
【図６】本実施の形態に係る基地局装置で行われる変調方式の決定処理を示すフローチャートである。
【図７】本実施の形態に係る基地局装置および移動局装置により行われる通信を示す図である。
【符号の説明】
【００７８】
１０１  基地局装置、１０２  無線通信部、１０３  復調部、１０４  復号部、１０５  通信品質値記憶部、１０６  参照期間決定部、１０７  変調方式決定部、１０８  符号化部、１０９  変調部、１１０  メモリー、１１１  アンテナ、７０１  上り信号、７０２  下り信号、７０３  上り信号、７０４  下り信号、７０５  上り信号、７０６  下り信号、７０７  上り信号、７０８  下り信号。
【図１】
2010130261.tif 000003
【図２】
2010130261.tif 000004
【図３】
2010130261.tif 000005
【図４】
2010130261.tif 000006
【図５Ａ】
2010130261.tif 000007
【図５Ｂ】
2010130261.tif 000008
【図６】
2010130261.tif 000009
【図７】
2010130261.tif 000010